(57)【要約】【課題】エレベータ利用者に対して乗車階床情報を報知し、乗車階床に戻ることを可能とし、しかも、目的の階床に行こうとする場合の利便性を維持することができるエレベータの制御装置を提供する。【解決手段】エレベータの制御装置において、エレベータ乗り場に設置され、エレベータ利用者が携帯するＩＣタグ６の固体情報を読取る読取装置１と、読取装置１が読取るＩＣタグ６の固体情報と、固体情報を読取った読取装置１が設置されている乗車階床情報とを関係付けて記憶する記憶部５と、読取装置１がＩＣタグ６の固体情報を読取った場合に、同じ固体情報が記憶部５に記憶されているか否かを検知する検知手段と、同じ固体情報が記憶部５に記憶されていることが検知手段により検知された場合、検知された固体情報と関係付けて記憶部５に記憶される乗車階床情報をエレベータ利用者に報知する報知装置２、３と、を備える。【選択図】    図１
2008120578.tif 000002
【特許請求の範囲】
【請求項１】
エレベータ乗り場に設置され、エレベータ利用者が携帯するＩＣタグの固体情報を読取る読取装置と、
前記読取装置が読取る前記ＩＣタグの固体情報と、固体情報を読取った前記読取装置が設置されている乗車階床情報とを関係付けて記憶する記憶部と、
前記読取装置が前記ＩＣタグの固体情報を読取った場合に、同じ固体情報が前記記憶部に記憶されているか否かを検知する検知手段と、
同じ固体情報が前記記憶部に記憶されていることが前記検知手段により検知された場合、検知された固体情報と関係付けて前記記憶部に記憶される乗車階床情報をエレベータ利用者に報知する報知装置と、
を備えることを特徴とするエレベータの制御装置。
【請求項２】
前記記憶部は、前記ＩＣタグの固体情報と関係付けられる二以上の乗車階床情報を経時的に記憶可能であることを特徴とする請求項１記載のエレベータの制御装置。
【請求項３】
前記記憶部に記憶される固体情報と乗車階床情報とについて有効期限が設定されていることを特徴とする請求項１記載のエレベータの制御装置。
【請求項４】
前記報知装置として、視覚により認識可能な表示装置が設けられていることを特徴とする請求項１記載のエレベータの制御装置。
【請求項５】
前記報知装置として、聴覚により認識可能な音声装置が設けられていることを特徴とする請求項１記載のエレベータの制御装置。
【請求項６】
一又は二以上のエレベータに対応する前記記憶部が複数設けられ、複数の前記記憶部は、個々の前記記憶部に記憶されいる固体情報と乗車階床情報とを共有可能に接続されていることを特徴とする請求項１記載のエレベータの制御装置。
【発明の詳細な説明】
【技術分野】
【０００１】
本発明は、建物内などに設けられるエレベータの制御装置に関し、特に、エレベータ利用者がエレベータを利用して建物内を移動した後にエレベータの乗車階床に戻る場合、間違えずに戻ることを可能にするエレベータの制御装置に関する。
【背景技術】
【０００２】
この種の制御装置は、下記特許文献１に記載されているように、大型店舗の駐車場や、駐車場専門の建物に設けられることが知られている。すなわち、車を駐車した駐車階を駐車券に記憶させることにより、利用者が車に戻る場合に駐車階を間違えるということを防止し、さらに、駐車階に戻る場合の乗場呼び、かご呼びを自動登録させ、利用客への利便性を向上させるエレベータの制御装置が知られている。
【特許文献１】特開２００５−１１９８４７号公報
【発明の開示】
【発明が解決しようとする課題】
【０００３】
しかしながら、前述のエレベータの制御装置においては、以下の点について配慮がなされていない。
【０００４】
前述のエレベータの制御装置においては、駐車券に記憶された駐車階の情報に応じて乗り場呼びやかご呼びが自動登録されるため、駐車券に記憶されている駐車階以外の階床に行こうとする場合には、かえって不便となる場合がある。
【０００５】
また、駐車券に記憶されている階床の情報は、最初にエレベータに乗った駐車階の情報のみである。このため、車を駐車した駐車階以外の階床に移動し、その後、移動した駐車階以外の階床に戻る必要が生じた場合において、戻ろうとする駐車階以外の階床に間違いなく戻れるようにすることはできない。
【０００６】
本発明はこのような課題を解決するためになされたもので、その目的は、エレベータ利用者に対してエレベータの乗車階床情報を報知し、乗車階床に戻ることを可能とし、しかも、目的とする階床に行こうとする場合の利便性を維持することができるエレベータの制御装置を提供することである。
【課題を解決するための手段】
【０００７】
本発明の実施の形態に係る第１の特徴は、エレベータの制御装置において、エレベータ乗り場に設置され、エレベータ利用者が携帯するＩＣタグの固体情報を読取る読取装置と、前記読取装置が読取る前記ＩＣタグの固体情報と、固体情報を読取った前記読取装置が設置されている乗車階床情報とを関係付けて記憶する記憶部と、前記読取装置が前記ＩＣタグの固体情報を読取った場合に、同じ固体情報が前記記憶部に記憶されているか否かを検知する検知手段と、同じ固体情報が前記記憶部に記憶されていることが前記検知手段により検知された場合、検知された固体情報と関係付けて前記記憶部に記憶される乗車階床情報をエレベータ利用者に報知する報知装置と、を備えることである。
【発明の効果】
【０００８】
本発明によれば、ＩＣタグを携帯するエレベータ利用者がエレベータを利用する場合、当該エレベータ利用者に対してエレベータの乗車階床情報を報知することができ、エレベータ利用者が乗車階床に戻ることを可能とすることができ、しかも、目的とする階床に行こうとする場合の利便性を維持することができる。
【発明を実施するための最良の形態】
【０００９】
以下、本発明の実施の形態を図面を用いて説明する。
【００１０】
（第１の実施の形態）
本発明の第１の実施の形態に係るエレベータの制御装置は、図１のブロック図に示すように、読取装置１と、報知装置である表示装置２及び音声装置３と、制御部４と、記憶部５とを備えている。読取装置１と表示装置２と音声装置３とは、各階床のエレベータ乗り場に設置されている。制御部４と記憶部５とは、機械室などに設置され、１台のエレベータごとに、又は、バンク分けされた一群のエレベータごとに設けられている。
【００１１】
読取装置１は、エレベータ利用者が携帯するＩＣタグであるＩＣタグカード６の固体情報、例えば、各ＩＣタグカード６毎に設定されているＩＤ番号情報を読取る。ＩＣタグカード６は、携帯可能な大きさに形成されたカード型筐体と、このカード型筐体内に配置されるＩＣタグとから構成されている。ＩＣタグカード６が読取装置１に近付けられた場合、ＩＣタグと読取装置１との間で無線信号の送受信が行われ、読取装置１から送信される固体情報要求信号をＩＣタグが受信すると、ＩＣタグに記憶されている固体情報が読取装置１に対して送信される。
【００１２】
制御部４は、エレベータ乗りかごの昇降制御や、読取装置１による読取制御や、記憶部５への書込み及び読取り等のエレベータに関する各種の制御を行うＣＰＵ７と、読取装置１により読み取られたＩＣタグカード６の固体情報を取り込む固体情報入力部８と、エレベータ乗り場の乗り場呼ボタンやエレベータ乗りかご内のかご呼びボタンが押された場合の呼び情報を取り込む呼び登録処理部９と、表示装置２と音声装置３とに対して出力する報知情報を作成する報知情報作成部１０とを備えている。報知情報作成部１０では、読取装置１が固体情報を読取り、同じ固体情報が記憶部５に記憶されていることが検知手段により検知された場合に、検知された固体情報と関係付けて記憶部５に記憶されている乗車階床情報を表示装置２と音声装置３とから報知するための報知情報が作成される。固体情報入力部８と呼び登録処理部９と報知情報作成部１０と記憶部５とは、ＣＰＵ７に対してデータバスを介して接続されている。
【００１３】
記憶部５は、読取装置１が読取るＩＣタグカード６の固体情報と、固体情報を読取った読取装置１が設置されている乗車階床情報とを関係付けて記憶する。同じ固体情報が二度以上読取られた場合には、読取られた固体情報に関係付けられる二以上の乗車階床情報が経時的に記憶される。例えば、或るエレベータ利用者がエレベータを利用して１階→４階→７階と移動した場合には、記憶部５には、このエレベータ利用者が携帯するＩＣタグカード６の固体情報に関係付けて１階、４階の乗車階床情報が記憶される。なお、７階については降車しただけであるので、エレベータ利用者が７階に滞在している間は乗車階床情報としては記憶されない。記憶部５に記憶される固体情報と乗車階床情報とについて有効期限が設定されており、有効期限が経過することにより消去される。有効期限は任意に設定することが可能であり、例えば、最初の登録が行われてから６時間、１２時間等の経過時間を設定することができ、又は、一律に或る特定時間（例えば、午後１０時等）を設定することができる。
【００１４】
表示装置２は、報知情報作成部１０で作成された報知情報を、視覚により認識可能な形態で報知する。
【００１５】
音声装置３は、報知情報作成部１０で作成された報知情報を、聴覚により認識可能な形態で報知する。なお、第１の実施の形態では、各階床のエレベータ乗り場に表示装置２と音声装置３とを設けた場合を例に挙げて説明したが、いずれか一方のみを設けてもよい。
【００１６】
図２は、ＩＣタグカード６を携帯するエレベータ利用者がエレベータを利用する場合の制御部４による制御を説明するフローチャートである。
【００１７】
制御部４は、読取装置１がＩＣタグカード６の固体情報を読取ったか否かを監視している（Ｓ１）。読取装置１がＩＣタグカード６の固体情報を読取った場合は（Ｓ１のＹＥＳ）、同じ固体情報が記憶部５に記憶されているか否かが判断され（Ｓ２）、ここに、読取装置１がＩＣタグカード６の固体情報を読取った場合に同じ固体情報が記憶部５に記憶されているか否かを検知する検知手段が実行される。
【００１８】
記憶部５に同じ固体情報が記憶されていることが検知手段により検知された場合には（Ｓ２のＹＥＳ）、検知された固体情報と関係付けて記憶部５に記憶されている乗車階床情報を表示装置２と音声装置３とから報知するための報知情報が作成され（Ｓ３）、作成された報知情報が表示装置２と音声装置３とから報知される（Ｓ４）。
【００１９】
ステップＳ４における報知が行われた後、及び、記憶部５には同じ固体情報が記憶されていないと判断された後（Ｓ２のＮＯ）、読取装置２が読取ったＩＣタグカード６の固体情報と、固体情報を読取った読取装置１が設置されている乗車階床情報とが関係付けて記憶部５に記憶される（Ｓ５）。なお、既に固体情報と乗車階床情報とが記憶されている場合には、乗車階床情報は追加の乗車階床情報として記憶部５に経時的に記憶される。
【００２０】
ステップＳ５の記憶が行われた後、エレベータはエレベータ利用者が指示する階床に向けて昇降される（Ｓ６）。
【００２１】
このような構成において、このエレベータの制御装置は、複数階の駐車場を備えた建物や、複数階の売り場がある店舗等において適用されるものである。
【００２２】
ＩＣタグカード６を携帯するエレベータ利用者がエレベータを利用した場合、ＩＣタグカード６の固体情報と乗車階床情報とが記憶部５に記憶される。そして、再度エレベータを利用する場合、記憶部５に記憶されている乗車階床情報が表示装置２や音声装置３により報知される。このため、エレベータ利用者は、自分がエレベータに乗車した階床を忘れた場合でも、乗車した階床に間違いなく速やかに戻ることができる。例えば、エレベータ利用者が複数階の立体式駐車場からエレベータに乗車した場合、車を駐車した階床が何階であったかを忘れた場合でも、駐車した階床に間違いなく速やかに戻ることができる。
【００２３】
さらに、エレベータ利用者がエレベータを利用する場合、記憶部５に記憶されている乗車階床情報は表示装置２や報知装置３により報知されるが、エレベータ利用者が行きたい階床の指示は各エレベータ利用者が行うため、行きたい階床に行くことに関する利便性が従来のエレベータと同様に維持される。
【００２４】
また、エレベータ利用者がエレベータを利用して店舗内を移動した場合、記憶部５には移動の度に乗車した乗車階床情報が経時的に記憶されているため、自分が移動した階床が何階であったかを容易に確認することができる。したがって、前に自分が居た階床へ戻る場合、間違いなく速やかに戻ることができる。
【００２５】
また、記憶部５に記憶される固体情報と乗車階床情報とには有効期限が設定され、有効期限が経過することにより消去される。このため、以前にＩＣタグ６を使用した他のエレベータ利用者の乗車階床情報や、異なる日時の乗車階床情報が記憶されておらず、それらの乗車階床情報により戻るべき階床を間違えるという事態の発生を防止することができる。さらに、記憶部５の記憶容量を小さくしてシステム全体のコストを抑えることができる。
【００２６】
（第２の実施の形態）
本発明の第２の実施の形態に係るエレベータの制御装置について、図３に基づいて説明する。なお、第１の実施の形態において説明した構成要素と同じ構成要素には同じ符号を付け、重複する説明は省略する。
【００２７】
第２の実施の形態のエレベータの制御装置の基本的な構成は、第１の実施の形態のエレベータの制御装置と同じである。
【００２８】
第２の実施の形態のエレベータの制御装置では、建物内のエレベータが複数の群（エレベータバンク）に分けられており、各エレベータバンク１１ａ、１１ｂ毎に記憶部５ａ、５ｂが設けられている。各エレベータバンク１１ａ、１１ｂの記憶部５ａ、５ｂはデータバス１２を介して接続され、個々の記憶部５ａ、５ｂに記憶されている固体情報と乗車階床情報とが共有されている。
【００２９】
各エレベータバンク１１ａ、１１ｂの記憶部５ａ、５ｂに記憶されている固体情報と乗車階床情報とが共有化されることにより、エレベータバンク１１ａの記憶部５ａに固体情報と乗車階床情報とが記憶されている場合に、エレベータバンク１１ｂの読取装置１でＩＣタグカード６の固体情報を読取った場合、同じ固体情報の有無の検知が記憶部５ｂのみではなく記憶部５ａについても行われる。
【００３０】
このような構成において、建物が大きい場合、エレベータが複数のエレベータバンク１１ａ、１１ｂ毎に管理されている場合がある。
【００３１】
このような場合、記憶部５ａ、５ｂが各エレベータバンク１１ａ、１１ｂ毎に独立していると、エレベータバンク１１ａのエレベータを利用して或る階床に移動したエレベータ利用者が、建物内を水平方向に移動して他のエレベータバンク１１ｂのエレベータを利用して他の階床に移動する場合、読取装置１でＩＣタグカード６の個別情報を読取っても、記憶部５ｂに記憶されている固体情報と乗車階床情報とを検知できないという状態が発生する。
【００３２】
そこで、第２の実施の形態で示すように、各エレベータバンク１１ａ、１１ｂの記憶部５ａ、５ｂをデータバス１２で接続し、記憶されている固体情報と乗車階床情報とを全てのエレベータバンク１１ａ、１１ｂで共有化することにより、異なるエレベータバンク１１ａ、１１ｂのエレベータを利用した場合の乗車階床情報を他のエレベータバンク１１ａ、１１ｂの表示装置２や音声装置３により報知することができる。
【００３３】
このため、同じ建物内の異なるエレベータバンク１１ａ、１１ｂのエレベータを利用して建物内を移動する場合に、エレベータに最初に乗車した階床や自分が前に居た階床を忘れた場合でも、表示装置２や音声装置３による報知情報に基づき最初に乗車した階床や自分が前に居た階床に間違いなく速やかに戻ることができる。
【００３４】
この第２の実施の形態によれば、時間帯によってエレベータバンク１１ａ、１１ｂのエレベータが運転を休止され、他のエレベータバンク１１ａ、１１ｂのエレベータを使用しなければならない場合でも、エレベータに最初に乗車した階床や前に居た階床へエレベータ利用者を導くことができる。
【図面の簡単な説明】
【００３５】
【図１】本発明の第１の実施の形態に係るエレベータの制御装置を示すブロック図である。
【図２】エレベータの制御装置の制御内容を説明するフローチャートである。
【図３】本発明の第２の実施の形態に係るエレベータの制御装置を示すブロック図である。
【符号の説明】
【００３６】
１      読取装置
２      報知装置、表示装置
３      報知装置、音声装置
５、５ａ、５ｂ  記憶部
６      ＩＣタグ
【図１】
2008120578.tif 000003
【図２】
2008120578.tif 000004
【図３】
2008120578.tif 000005